(57)【要約】【課題】 異なる大きさの陰茎に対応することができる、包茎矯正具を提供する。【解決手段】包茎矯正具１は、環状部材２と締付部材３とから構成される。締付部材３には、環状部材２が挿入され、締付部材３は環状部材２を締め付ける。環状部材２は、可撓性を有するリング状の部材から構成され、一例として、シリコンゴムから構成される。環状部材２の横断面は、一例として、円形である。環状部材２は、締付部材３により、陰茎挿入部２１と陰嚢挿入部２２とを形成する。【選択図】 図１
2019130072.tif 000002
【特許請求の範囲】
【請求項１】
可撓性を有する環状部材と、
前記環状部材が挿入され、前記環状部材を締め付ける締付部材と
を備え、
前記締付部材は、
前記環状部材が挿入される第一開口部を有する環状部と、
前記環状部に設けられた第二開口部と、
前記第二開口部と対向する前記環状部に設けられ、前記第二開口部に挿入される係止部とを備え、
前記係止部は、前記第二開口部からの抜けを防止する抜止部を備え、
前記締付部材により、前記環状部材に対して、陰茎が挿入される陰茎挿入部と、陰嚢が挿入される陰嚢挿入部とが形成され、
前記締付部材は、前記環状部材に対して移動可能であり、前記陰茎挿入部の開口面積を変更可能であることを特徴とする包茎矯正具。
【発明の詳細な説明】
【技術分野】
【０００１】
本発明は、陰茎に装着して仮性包茎を矯正する包茎矯正具に関する。
【背景技術】
【０００２】
従来、包茎矯正具は各種提案されている。例えば、特許文献１に記載された包茎矯正具はリングと両端部をリングの左右に固着したバンドから構成されるゴム製の矯正具である。この包茎矯正具は、リングを陰茎に係合し、バンドを陰嚢に係止して使用される。
【先行技術文献】
【特許文献】
【０００３】
【特許文献１】登録実用新案第３００８７３４号公報
【発明の概要】
【発明が解決しようとする課題】
【０００４】
人の陰茎の大きさは、人により異なり、各種サイズがある。しかし、特許文献１に記載の包茎矯正具は、リング及びバンドはゴム製であるが、装着時に引き延ばし可能であるが、異なるサイズに対応するためには、Ｓ，Ｍ，Ｌ、及びその他、異なる大きさのものを予め複数用意しておく必要が有るとという問題点があった。
【０００５】
本発明は、上記課題を解決するために成されたものであり、異なる大きさの陰茎に一個で対応することができる包茎矯正具を提供することを目的とする。また、陰茎を軽く圧迫することにより、勃起量の増大と勃起時間の延長を期待することができる包茎矯正具を提供することを目的とする。
【課題を解決するための手段】
【０００６】
本発明の一態様の包茎矯正具は、可撓性を有する環状部材と、前記環状部材が挿入され、前記環状部材を締め付ける締付部材とを備え、前記締付部材は、前記環状部材が挿入される第一開口部を有する環状部と、前記環状部に設けられた第二開口部と、前記第二開口部と対向する前記環状部に設けられ、前記第二開口部に挿入される係止部とを備え、前記係止部は、前記第二開口部からの抜けを防止する抜止部を備え、前記締付部材により、前記環状部材に対して、陰茎が挿入される陰茎挿入部と、陰嚢が挿入される陰嚢挿入部とが形成され、前記締付部材は、前記環状部材に対して移動可能であり、前記陰茎挿入部の開口面積を変更可能であることを特徴とする。
【０００７】
締付部材により、環状部材は、陰茎が挿入される陰茎挿入部と、陰嚢が挿入される陰嚢挿入部とに分かれる。従って、上記構成の包茎矯正具は、締付部材の移動により、陰茎の大きさに合わせて、陰茎挿入部のサイズを変更することができる。よって、異なる大きさの陰茎に一個で対応することができる。また、包皮を陰茎の基部方向に引っ張ることができる。また、環状部材は可撓性を有する部材であれば良く、締付部材は環状部と、環状部に設けられた第二開口部と、第二開口部と対向する環状部に設けられ、第二開口部に挿入される係止部とを備えた簡易な構造であり、製造も容易である。
【図面の簡単な説明】
【０００８】
【図１】包茎矯正具１の平面図である。
【図２】環状部材の平面図である。
【図３】締付部材の使用前の平面図である。
【図４】図１のX-X線に於ける断面図である。
【図５】包茎矯正具１を使用者が着用した状態を示す図である。
【図６】包茎矯正具１を使用者が着用した状態を示す図である。
【発明を実施するための形態】
【０００９】
以下、本発明の一実施の形態の包茎矯正具１を図面を参照して説明する。なお、以下の説明では、左右、前後、上下などの記載は、着用者にとっての方向を意味する。従って、図１における上、下、左、右を包茎矯正具１の上、下、右、左とし、紙面の表側を前、紙面の裏側を後とする。
【００１０】
図１に示すように、包茎矯正具１は、環状部材２と締付部材３とから構成される。締付部材３には、環状部材２が挿入され、締付部材３は環状部材２を締め付ける。図２に示すように、環状部材２は、可撓性を有するリング状の部材から構成され、一例として、シリコンゴムから構成される。図２に示すように、環状部材２は、開口部２０を有し、環状部材２の横断面は、図４に示すように、一例として、円形である。図１に示すように、環状部材２は、締付部材３により、陰茎挿入部２１と陰嚢挿入部２２とを形成する。
【００１１】
次に、図３を参照して、締付部材３を説明する。図３は、締付部材３の使用前の状態を示す平面図である。締付部材３は、可撓性の部材から構成される。締付部材３は、使用前の状態においては、環状部材２が挿入される第一開口部３２を有する環状部３１と、環状部３１に設けられた第二開口部３３と、第二開口部３３と対向する環状部３１に設けられ、第二開口部３３に挿入される係止部３４とを備える。
【００１２】
係止部３４は、軸部３５と、軸部３５の途中から軸部３５と直交する方向に各々突出した一対の係止部３６，３６と、テーパ状に形成された先端部３７から構成される。締付部材３をの使用には、図４に示すように、第一開口部３２に環状部材２を挿入した状態で、係止部３４を環状部材２の開口部２０を通して、先端部３７から第二開口部３３に挿入する。締付部材３は、可撓性の部材であるので、第二開口部３３が広がり、係止部３６，３６が貫通して、係止部３４の第二開口部３３からの抜けを防止する。この状態で、図１に示す状態となる。締付部材３は、環状部材２に対して、固定される。但し、締付部材３は、環状部材２に対して、摺動抵抗を持って移動可能である。従って、図１に示す、締付部材３を移動することにより、陰茎挿入部２１の開口面積Ａと、陰嚢挿入部２２の開口面積Ｂを変化させることができるので、包茎矯正具１は装着に利便性を持たせることができる。
【００１３】
次に、図５及び図６を参照して、包茎矯正具１の使用方法を説明する。使用時は、初めに、図５に示すように、包茎矯正具１の陰嚢挿入部２２に陰嚢５０を挿入して係止する。次いで、締付部材３を陰嚢５０方向に移動して、陰茎挿入部２１に余裕を持たせて、陰茎挿入部２１に亀頭４１の側から陰茎４０を挿入する。この状態で、余剰の包皮４２を陰茎４０の基部４４の方向にたぐり寄せる。次いで、締付部材３を亀頭４１方向に移動し、陰茎４０を軽く圧迫し、たぐり寄せた包皮４２を保持させるようにする。従って、環状部材２は、可撓性を有する状の部材であるので、包皮が陰茎４０の基部４４側に引き寄せられて亀頭４１が露出する。
【００１４】
尚、環状部材２の大きさは、例えば、日本人の大人の陰茎４０の長さの平均を基準として決めれば良い。
【００１５】
以上説明したように、包茎矯正具１の締付部材３は、環状部材２に対して、摺動抵抗を持って移動可能である。従って、陰茎４０の太さに応じて、陰茎挿入部２１の大きさを可変することができるので、異なる大きさの陰茎に一個で対応することができる。また、環状部材２は可撓性を有するリング状の部材であれば良く、締付部材３は、第一開口部３２、第二開口部３３、及び係止部３４を備えた簡易な構造であり、製造も容易である。環状部材２の横断面は円状であるので、陰茎４０や陰嚢５０に当たっても人体に痛みを与えない。また、環状部材２の陰茎挿入部２１は、陰茎を軽く圧迫するので、陰茎４０からの血流の逆流を防止して勃起量の増大と勃起時間の延長を期待することができる。
【００１６】
以上、本発明の一実施の形態を説明したが、これらはあくまで例示にすぎず、本発明はこれらに限定されるものではない。例えば、環状部材２の横断面は、円状に限られない。例えば、楕円状でもよい。また、角を面取りした角状でもよい。まら係止部３６は、一対の突出部でなく、軸部３５にフランジ状に一周設けられていてもよい。
【符号の説明】
【００１７】
１    包茎矯正具
２    環状部材
３    締付部材
２０  開口部
２１  陰茎挿入部
２２  陰嚢挿入部
３１  環状部
３２  第一開口部
３３  第二開口部
３４  係止部
３５  軸部
３６  係止部
３７  先端部
４０  陰茎
４１  亀頭
４２  包皮
４４  基部
５０  陰嚢
【図１】
2019130072.tif 000003
【図２】
2019130072.tif 000004
【図３】
2019130072.tif 000005
【図４】
2019130072.tif 000006
【図５】
2019130072.tif 000007
【図６】
2019130072.tif 000008